(57)【要約】【課題】  複数の非接触式ＩＣカードを同じ収容ケース内に入れていても、リーダライタに対して誤動作なく所望の非接触式ＩＣカードを利用可能とするシールド体および非接触式ＩＣカード収容ケースを得ること。【解決手段】  平面状の金属の層と、この金属の層の両面にそれぞれ形成され磁力線を吸い込む性質を持つ磁性体の層とを備え、金属の層側と異なる各磁性体の層の表面に非接触式ＩＣカードをそれぞれ貼り付けて一体化したり、シールド体の両面に非接触式ＩＣカードを収納するカード収納部を設けた非接触式ＩＣカード収容ケースに入れたりして、複数の非接触式ＩＣカードの間に介在させて用いる。【選択図】        図１
2005327208.tif 000002
【特許請求の範囲】
【請求項１】
平面状の金属の層と、この金属の層の両面にそれぞれ形成され磁力線を吸い込む性質を持つ磁性体の層とを備え、複数の非接触式ＩＣカードの間に介在させるようにしたことを特徴とするシールド体。
【請求項２】
各磁性体の層の表面に非接触式ＩＣカードをそれぞれ貼り付け一体化したことを特徴とする請求項１記載のシールド体。
【請求項３】
請求項１のシールド体の両面に非接触式ＩＣカードを収納するカード収納部を設けたことを特徴とする非接触式ＩＣカード収容ケース。
【請求項４】
非接触式ＩＣカードもしくは当該非接触式ＩＣカードが収納されるカード収納部の間に請求項１のシールド体を設けて本のようにそれぞれの一端縁を可動部材で綴じ、前記可動部材は、任意の非接触式ＩＣカードもしくは前記カード収納部を綴じ部分を支点として回転することにより対象とする非接触式ＩＣカードを選択する構造としたことを特徴とする非接触式ＩＣカード収容ケース。
【発明の詳細な説明】
【技術分野】
【０００１】
この発明は、複数の非接触式ＩＣカードを重ねて持ち歩く場合に適用するシールド体および非接触式ＩＣカード収容ケースに関するものである。
【背景技術】
【０００２】
非接触式ＩＣカードを親体のリーダライタ上にかざすことにより両者間で通信を行い自動改札や入退出を管理するシステムが普及しつつある。周知のように、非接触式ＩＣカードには、ＩＣのほかにアンテナコイルと呼ばれる渦巻状に巻かれた配線、さらに電源や電圧を一定にするためのコンデンサなどの部品がそれぞれ内蔵されている。非接触式ＩＣカードは、電波（磁界）を使ってリーダライタとデータの通信を行う。その場合、アンテナコイルは受信時にはコイル内を横切る磁界変化からリーダライタからの信号を取り出し、送信時には送信信号に応じて磁界を発生させる。また、アンテナコイルは、コイル内を通り抜ける磁力線数の変化に応じて起電力を誘起する電磁誘導現象を利用した非接触式ＩＣカードの電源用発電機としても機能している。つまり、リーダライタは非接触式ＩＣカードをかざした部分（アンテナコイル）に磁界を与え、非接触式ＩＣカードはアンテナコイルにより電力を取り出す。その電力で非接触式ＩＣカードは動作して、リーダライタへデータを送るための電波（磁界）を生成している。
【０００３】
利用者はパスケースや財布など収容ケースに非接触式ＩＣカードを入れて使用するのが一般的である。そのため、収容ケース内で他の導体（小銭１０円玉他金属類）と隣接する場合が起りやすい。このような他の導体と隣接した状態の非接触式ＩＣカードをリーダライタにかざすと、隣接した他方の導体によりリーダライタ側からの磁界が遮蔽され、通信を行えなくなるという問題が起こる。従来、非接触式ＩＣカードを正常に機能させるために、絶縁体の層の間に電波を反射する金属の層を介在させ薄い平面状としたものを収容ケースの小銭入れの周りに配置させることが考えられてきた（例えば、特許文献１参照）。
【０００４】
また、利用者が同じ方式の非接触式ＩＣカードシステムで用途の異なる複数の非接触式ＩＣカードを同じ収容ケースに入れて使用する場合、例えば同じタイプのＡ社とＢ社の非接触式ＩＣカードが一つの収容ケース内で近接する関係に置かれる場合がある。このような場合に、Ａ社の非接触式ＩＣカードを使用しようとしたとき、Ａ社の非接触式ＩＣカード用のリーダライタが出すポーリング信号に対して、両方の非接触式ＩＣカードから受理応答のアック信号が出力されることになる。そのため、所望のＡ社の非接触式ＩＣカードが正常に使用できなくなる。
【０００５】
【特許文献１】特開２００３−１２３０３７号公報
【発明の開示】
【発明が解決しようとする課題】
【０００６】
特許文献１に示された磁界遮蔽の防止対策を、同じ方式の非接触式ＩＣカードシステムで用途の異なる複数の非接触式ＩＣカードを同じ収容ケースに入れて使用する場合に適用することも考えられるが、次のような問題がある。非接触式ＩＣカードシステムでは磁界により通信を行っているため、電波を反射する金属の層として、例えばアルミニウムや銅などの比透磁率が非常に小さい金属を使用した場合、簡単に磁力線が突き抜け、シールド効果が不十分となる。また、非接触式ＩＣカードに内蔵されているアンテナと金属の層が近接すると、アンテナの特性が劣化し、非接触式ＩＣカードの認識率の低下を引き起こす。
【０００７】
この発明は、上記問題点を解決するためになされたもので、複数の非接触式ＩＣカードを同じ収容ケース内に入れていても、リーダライタに対して誤動作なく所望の非接触式ＩＣカードを利用可能とするシールド体および非接触式ＩＣカード収容ケースを得ることを目的とする。
【課題を解決するための手段】
【０００８】
この発明に係るシールド体は、平面状の金属の層と、この金属の層の両面にそれぞれ形成され磁力線を吸い込む性質を持つ磁性体の層とを備え、複数の非接触式ＩＣカードの間に介在されるようにしたものである。
【発明の効果】
【０００９】
この発明によれば、複数の非接触式ＩＣカードの間にシールド体を介在させて用いた場合、所望の非接触式ＩＣカードをリーダライタにかざした場合に他の非接触式ＩＣカードへ及ぼうとする磁界を磁性体の層により弱めることができるため、他の非接触式ＩＣカードを認識する誤動作を防止する効果がある。また、非接触式ＩＣカードの内蔵アンテナと金属の層が磁性体の層を介して近接するので、金属の層に因るアンテナの特性劣化を抑え、所望の非接触式ＩＣカードの認識をより確実にする効果がある。
【発明を実施するための最良の形態】
【００１０】
実施の形態１．
図１はこの発明の実施の形態１によるシールド体を示す斜視図である。図において、シールド体は金属の層１、磁性体の層２，３から構成されている。金属の層１は平面体からなり、この金属の層１の両面には磁力線を吸い込む性質を持つ所定厚の磁性体の層２，３が形成されている。
図２は実施の形態１に係る非接触式ＩＣカードのシールド体の使用状態を示す側面図で、２枚の非接触式ＩＣカード４と５の間に非接触式ＩＣカードのシールド体を挟んだ状態を示す。
リーダライタ１３から発せられた磁界は、磁性体の層２を通る磁力線１１を形成し、また金属の層１を通り抜け磁性体の層３を通る磁力線１２を形成する。２枚の非接触式ＩＣカード４，５の間にシールド体を挟んだ状態で、所望の非接触式ＩＣカード４を親装置のリーダライタ１３に対してかざすと、親装置のリーダライタ１３から発生した磁界は、リーダライタ側に位置する非接触式ＩＣカード４に内蔵されたアンテナに届き、非接触式ＩＣカード４は認識される。また、リーダライタ１３から発生した磁界は、非接触式ＩＣカード４を通り抜け、磁力線を吸い込む性質を持つ磁性体の層２の中を通って磁力線１１を形成する。さらに、磁性体の層２を通り抜けた磁界は金属の層１で渦電流を発生させ、損失となる。さらに、金属の層１を磁界が通り抜けても、通り抜けた磁力線をもう一方の磁性体の層３が吸込み、磁性体の層３の中を通って磁力線１２を形成する。したがって、リーダライタ１３から発生した磁界は、シールド体を挟んでリーダライタ１３側とは反対側に位置する他の非接触式ＩＣカード５には極めて届きにくくなるため、非接触式ＩＣカード５は認識されにくくなる。
【００１１】
また、金属の層１の両側に磁力線を吸い込む性質を持つ磁性体の層２，３が設けられているので、親体のリーダライタ１３から発生した磁界をリーダライタ１３側の磁性体の層２が吸込み、リーダライタ１３側に位置する非接触式ＩＣカード４のアンテナは磁界を送受信しやすくなる。このような構成のため、非接触式ＩＣカード４に内蔵されているアンテナが金属の層１に近接していても、アンテナの特性劣化を抑えることになり、非接触式ＩＣカード４の認識をより確実にする。
【００１２】
以上のように、この実施の形態１によれば、平面状の金属の層と、この金属の層の両面にそれぞれ形成され磁力線を吸い込む性質を持つ磁性体の層とを備え、２枚の非接触式ＩＣカードの間に介在されるようにしたシールド体としたものである。したがって、所望の非接触式ＩＣカードをリーダライタにかざした場合に、他方の非接触式ＩＣカードへ及ぼうとする磁界を磁性体の層により弱めることができるため、他方の非接触式ＩＣカードを認識する誤動作を防止する効果が得られる。また、非接触式ＩＣカードに内蔵されているアンテナと金属の層が磁性体の層を介して近接するため、金属の層に因るアンテナの特性劣化を抑え、非接触式ＩＣカードの認識をより確実にする効果が得られる。
【００１３】
実施の形態２．
図３はこの発明の実施の形態２による非接触式ＩＣカードのシールド体を非接触ＩＣカードと一体化した状態を示す。上記実施の形態１では、金属の層１の両側に磁性体の層２，３を設けたシールド体について説明したが、この実施の形態２では、非接触式ＩＣカード４，５をシールド体に直接貼り付けた一体型のカード構成としたものである。具体的には、磁性体の層２の表面に非接触式ＩＣカード４を接着剤または両面接着シートにより固定する。また、反対側の磁性体の層３の表面にもう一方の非接触式ＩＣカード５を同様な方法により固定する。
このことにより、一体型としたカードを単独で用いたり、他のケースに収納し用いたりできるので、利用者にとって取り扱いやすくなる。
【００１４】
実施の形態３．
図４は実施の形態３に係るシールド体を設けた非接触式ＩＣカード収容ケースを示す。図において、非接触式ＩＣカード収容ケースは、例えば皮革や合成皮革のような材質で形成され、上記実施の形態１で説明したシールド体７を内蔵し、その両面にそれぞれ非接触式ＩＣカード４，５を収納するカード収納部６０が設けられており、所謂パスケースのようになっている。この場合、図３で説明したものに対して非接触式ＩＣカード４，５の出し入れを容易にしている。
【００１５】
実施の形態４．
図５はこの発明の実施の形態４に係るシールド体を用いた非接触式ＩＣカード収容ケースを示す。ここでは、上記実施の形態１で述べたシールド体７を複数のカード収納部６の間にそれぞれ設け、複数の非接触式ＩＣカード４，５，８，９を収納するようにしている。これらのカード収納部６とシールド体７は、それぞれの一端縁を可動部材１０で綴じ、本のように形成される。可動部材１０としては、屈曲性のある樹脂を用いてもよいし、硬質なメカニック構造としてもよい。
【００１６】
図６は非接触式ＩＣカード収容ケースの使用状態を示す。例えば非接触式ＩＣカード５を使用する場合には、非接触式ＩＣカード４が入ったカード収納部６と、非接触式ＩＣカード４と非接触式ＩＣカード５の間に設けられたシールド体７を、可動部材１０の綴じ部分を支点として１８０度回転させて折り返すことで非接触式ＩＣカード５を選択する。この状態でリーダライタに近づけると、非接触式ＩＣカード５は認識されるが、非接触式ＩＣカード４と非接触式ＩＣカード８は各シールド体７に挟まれているので認識されない。よって、他の非接触式ＩＣカードに邪魔されること無く、所望の非接触式ＩＣカード５を利用することができる。
【００１７】
なお、この実施の形態４では、３枚のシールド体を用いて４枚の非接触式ＩＣカードを収納する収容ケースを例示したが、カード収納部６とシールド体７を対にして増やすことで、任意の枚数の非接触式ＩＣカードが収容できる非接触式ＩＣカード収容ケースを実現することができる。また、カード収納部６を可動部材１０に接続する構造としているが、カード収納部６を用いず非接触式ＩＣカードを可動部材１０に例えば狭持により直接接続する構造としてもよい。
【図面の簡単な説明】
【００１８】
【図１】この発明の実施の形態１による非接触式ＩＣカードのシールド体を示す斜視図である。
【図２】この発明の実施の形態１に係る非接触式ＩＣカードのシールド体の使用状態を示す側面図である。
【図３】この発明の実施の形態２による非接触式ＩＣカードのシールド体を非接触ＩＣカードと一体化した状態を示す側面図である。
【図４】この発明の実施の形態３による非接触式ＩＣカード収容ケースを示す斜視図である。
【図５】この発明の実施の形態４による非接触式ＩＣカード収容ケースを示す側面図である。
【図６】この発明の実施の形態４に係る非接触式ＩＣカード収容ケースの使用状態を示す側面図である。
【符号の説明】
【００１９】
１  金属の層、２  磁性体の層、３  磁性体の層、４，５，８，９  非接触式ＩＣカード、６，６０  カード収納部、７  シールド体、１０  可動部材、１１，１２  磁力線、１３  リーダライタ。
【図１】
2005327208.tif 000003
【図２】
2005327208.tif 000004
【図３】
2005327208.tif 000005
【図４】
2005327208.tif 000006
【図５】
2005327208.tif 000007
【図６】
2005327208.tif 000008